(57)【要約】      （修正有）【課題】光信号を送信する送信装置を制御することができる制御装置、送信装置、光通信システム、プログラム、制御方法及び送信方法を提供する。【解決手段】通信システムにおいて、照明装置が有する送信制御部の変調信号出力部５４２は、赤色ＬＥＤが出射した光の受信電圧を最大化して、赤色ＬＥＤが出射する光の変調度を決定する。変調信号出力部は、送受信装置において赤色ＬＥＤが出射した光の受信電圧の絶対置の最大値と、緑色ＬＥＤが出射した光の受信電圧の絶対置の最大値とが略同一となるように、赤色ＬＥＤが出射する光の変調度を決定する。【選択図】図５
2020027951.tif 000002
【特許請求の範囲】
【請求項１】
光信号を送信する送信装置を制御する制御装置であって、
（ａ）第１データ信号が入力され、（ｂ）（ｉ）前記第１データ信号がパルス信号に変換された第１通信信号及び（ｉｉ）前記第１通信信号が反転された第２通信信号を出力する第１変換部と、
第１の波長分布を有する第１の光を出射する第１光源を制御して、前記第１光源に、前記第１通信信号により変調された第１光信号を出力させる第１制御部と、
第２の波長分布を有する第２の光を出射する第２光源を制御して、前記第２光源に、前記第２通信信号により変調された第２光信号を出力させる第２制御部と、
を備え、
前記第１の波長分布と、前記第２の波長分布とが互いに相違し、
前記第１制御部及び前記第２制御部の少なくとも一方は、前記第１の波長分布及び前記第２の波長分布の少なくとも一方に基づいて、変調度を決定する、
制御装置。
【請求項２】
前記第１制御部及び前記第２制御部の少なくとも一方は、前記光信号を受信する受信装置における、前記第１の光の受信電圧及び前記第２の光の受信電圧の少なくとも一方に基づいて、前記変調度を決定する、
請求項１に記載の制御装置。
【請求項３】
第２データ信号が入力され、前記第２データ信号がパルス信号に変換された第３通信信号を出力する第２変換部と、
第３の波長分布を有する第３の光を出射する第３光源を制御して、前記第３光源に、前記第３通信信号により変調された第３光信号を出力させる第３制御部と、
をさらに備え、
前記第３の波長分布は、前記第１の波長分布及び前記第２の波長分布と相違する、
請求項１又は請求項２に記載の制御装置。
【請求項４】
光信号を送信する送信装置であって、
請求項１又は請求項２に記載の制御装置と、
前記第１の光を出射する前記第１光源と、
前記第２の光を出射する前記第２光源と、
を備える、送信装置。
【請求項５】
光信号を送信する送信装置であって、
請求項３に記載の制御装置と、
前記第１の光を出射する前記第１光源と、
前記第２の光を出射する前記第２光源と、
前記第３の光を出射する前記第３光源と、
を備える、送信装置。
【請求項６】
前記第３光源の光路上に配され、前記第３光源から出射された前記第３の光のうち、前記第１の光のピーク波長を有する光の少なくとも一部を遮蔽する遮蔽部をさらに備える、
請求項５に記載の送信装置。
【請求項７】
請求項４から請求項６までの何れか一項に記載の送信装置と、
前記送信装置が送信した前記光信号を受光する受信装置と、
を備える、光通信システム。
【請求項８】
前記受信装置は、
前記第１光信号及び前記第２光信号を受光して、前記第１データ信号を出力する第１受信装置と、
前記第１光信号及び前記第２光信号を受光して、前記第１データ信号を出力しない第２受信装置と、
を備える、
請求項７に記載の光通信システム。
【請求項９】
光信号を送信する送信装置と、
前記光信号を受光する複数の受信装置と、
を備え、
前記送信装置は、
第１の波長分布を有する第１の光を出射する第１光源と、
第２の波長分布を有する第２の光を出射する第２光源と、
前記第１光源及び前記第２光源を制御する制御装置と、
を有し、
前記第１の波長分布と、前記第２の波長分布とが互いに相違し、
制御装置は、
（ａ）第１データ信号が入力され、（ｂ）（ｉ）前記第１データ信号がパルス信号に変換された第１通信信号及び（ｉｉ）前記第１通信信号が反転された第２通信信号を出力する第１変換部と、
前記第１光源を制御して、前記第１光源に、前記第１通信信号により変調された第１光信号を出力させる第１制御部と、
前記第２光源を制御して、前記第２光源に、前記第２通信信号により変調された第２光信号を出力させる第２制御部と、
を含み、
前記複数の受信装置は、
前記第１光信号及び前記第２光信号を受光して、前記第１データ信号を出力する第１受信装置と、
前記第１光信号及び前記第２光信号を受光して、前記第１データ信号を出力しない第２受信装置と、
を有する、
光通信システム。
【請求項１０】
前記第１受信装置は、
前記第１の光のピーク波長を有する光の透過率が、前記第２の光のピーク波長を有する光の透過率よりも大きな選択部と、
前記選択部を通過した光を受光し、検出された光の強度を示す電気信号を出力する第１受光素子と、
を有する、
請求項８又は請求項９に記載の光通信システム。
【請求項１１】
コンピュータを、請求項１から請求項３までの何れか一項記載の制御装置として機能させるための、プログラム。
【請求項１２】
光信号を送信する送信装置を制御する制御方法であって、
（ａ）第１データ信号が入力され、（ｂ）（ｉ）前記第１データ信号がパルス信号に変換された第１通信信号及び（ｉｉ）前記第１通信信号が反転された第２通信信号を出力する変換段階と、
第１の波長分布を有する第１の光を出射する第１光源を制御して、前記第１光源に、前記第１通信信号により変調された第１光信号を出力させる第１制御段階と、
第２の波長分布を有する第２の光を出射する第２光源を制御して、前記第２光源に、前記第２通信信号により変調された第２光信号を出力させる第２制御段階と、
を有し、
前記第１の波長分布と、前記第２の波長分布とが互いに相違し、
前記第１制御段階及び前記第２制御段階の少なくとも一方は、前記第１の波長分布及び前記第２の波長分布の少なくとも一方に基づいて、変調度を決定する段階を含む、
制御方法。
【請求項１３】
光信号の送信方法であって、
（ａ）第１データ信号が入力され、（ｂ）（ｉ）前記第１データ信号がパルス信号に変換された第１通信信号及び（ｉｉ）前記第１通信信号が反転された第２通信信号を出力する変換段階と、
第１の波長分布を有する第１の光を出射する第１光源を制御して、前記第１光源に、前記第１通信信号により変調された第１光信号を出力させる第１制御段階と、
第２の波長分布を有する第２の光を出射する第２光源を制御して、前記第２光源に、前記第２通信信号により変調された第２光信号を出力させる第２制御段階と、
を有し、
前記第１の波長分布と、前記第２の波長分布とが互いに相違し、
前記第１制御段階及び前記第２制御段階の少なくとも一方は、前記第１の波長分布及び前記第２の波長分布の少なくとも一方に基づいて、変調度を決定する段階を含む、
送信方法。
【発明の詳細な説明】
【技術分野】
【０００１】
本発明は、制御装置、送信装置、光通信システム、プログラム、制御方法及び送信方法に関する。
【背景技術】
【０００２】
赤外線、可視光などの光を用いた無線データ通信が知られている（例えば、特許文献１〜４を参照されたい）。
［先行技術文献］
［特許文献］
［特許文献１］  特開平１０−１９０５８４号公報
［特許文献２］  特開２００２−３５３９００号公報
［特許文献３］  特開２００６−０９４０１４号公報
［特許文献４］  特開２０１６−２０１７６３号公報
【発明の概要】
【発明が解決しようとする課題】
【０００３】
しかしながら、光を用いた無線データ通信において、一の光信号送信装置からの光と、当該一の光信号送信装置の近隣に設置された他の光信号送信装置からの光とが干渉した場合、データ信号の伝達が困難になる。
【課題を解決するための手段】
【０００４】
本発明の第１の態様においては、制御装置が提供される。上記の制御装置は、例えば、光信号を送信する送信装置を制御する。上記の制御装置は、例えば、（ａ）第１データ信号が入力され、（ｂ）（ｉ）第１データ信号がパルス信号に変換された第１通信信号及び（ｉｉ）第１通信信号が反転された第２通信信号を出力する第１変換部と、上記の制御装置は、例えば、第１の波長分布を有する第１の光を出射する第１光源を制御して、第１光源に、第１通信信号により変調された第１光信号を出力させる第１制御部を備える。上記の制御装置は、例えば、第２の波長分布を有する第２の光を出射する第２光源を制御して、第２光源に、第２通信信号により変調された第２光信号を出力させる第２制御部を備える。上記の制御装置において、例えば、第１の波長分布と、第２の波長分布とは、互いに相違する。上記の制御装置において、第１制御部及び第２制御部の少なくとも一方は、第１の波長分布及び第２の波長分布の少なくとも一方に基づいて、変調度を決定する。
【０００５】
上記の制御装置において、第１制御部及び第２制御部の少なくとも一方は、光信号を受信する受信装置における、第１の光の受信電圧及び第２の光の受信電圧の少なくとも一方に基づいて、変調度を決定してよい。
【０００６】
上記の制御装置は、第２データ信号が入力され、第２データ信号がパルス信号に変換された第３通信信号を出力する第２変換部を備えてよい。上記の制御装置は、第３の波長分布を有する第３の光を出射する第３光源を制御して、第３光源に、第３通信信号により変調された第３光信号を出力させる第３制御部を備えてよい。上記の制御装置において、第３の波長分布は、第１の波長分布及び第２の波長分布と相違してよい。
【０００７】
本発明の第２の態様においては、送信装置が提供される。上記の送信装置は、例えば、光信号を送信する。上記の送信装置は、例えば、上記の制御装置を備える。上記の送信装置は、例えば、第１の光を出射する第１光源を備える。上記の送信装置は、例えば、第２の光を出射する第２光源を備える。
【０００８】
本発明の第３の態様においては、送信装置が提供される。上記の送信装置は、例えば、光信号を送信する。上記の送信装置は、例えば、上記の制御装置を備える。上記の送信装置は、例えば、第１の光を出射する第１光源を備える。上記の送信装置は、例えば、第２の光を出射する第２光源を備える。上記の送信装置は、例えば、第３の光を出射する第３光源を備える。上記の送信装置は、第３光源の光路上に配され、第３光源から出射された第３の光のうち、第１の光のピーク波長を有する光の少なくとも一部を遮蔽する遮蔽部を備えてもよい。
【０００９】
本発明の第４の態様においては、光通信システムが提供される。上記の光通信システムは、例えば、上記の第２の態様又は第３の態様に係る送信装置を備える。上記の光通信システムは、例えば、上記の送信装置が送信した光信号を受光する受信装置を備える。
【００１０】
上記の光通信システムにおいて、受信装置は、第１光信号及び第２光信号を受光して、第１データ信号を出力する第１受信装置を備えてよい。上記の光通信システムにおいて、受信装置は、第１光信号及び第２光信号を受光して、第１データ信号を出力しない第２受信装置を備えてよい。
【００１１】
本発明の第５の態様においては、光通信システムが提供される。上記の光通信システムは、例えば、光信号を送信する送信装置を備える。上記の光通信システムは、例えば、光信号を受光する複数の受信装置を備える。上記の光通信システムにおいて、送信装置は、例えば、第１の波長分布を有する第１の光を出射する第１光源を有する。上記の光通信システムにおいて、送信装置は、例えば、第２の波長分布を有する第２の光を出射する第２光源を有する。上記の光通信システムにおいて、送信装置は、例えば、第１光源及び第２光源を制御する制御装置を有する。上記の光通信システムにおいて、例えば、第１の波長分布と、第２の波長分布とは、互いに相違する。
【００１２】
上記の光通信システムにおいて、制御装置は、例えば、（ａ）第１データ信号が入力され、（ｂ）（ｉ）第１データ信号がパルス信号に変換された第１通信信号及び（ｉｉ）第１通信信号が反転された第２通信信号を出力する第１変換部を含む。上記の光通信システムにおいて、制御装置は、例えば、第１光源を制御して、第１光源に、第１通信信号により変調された第１光信号を出力させる第１制御部を含む。上記の光通信システムにおいて、制御装置は、例えば、第２光源を制御して、第２光源に、第２通信信号により変調された第２光信号を出力させる第２制御部を含む。上記の光通信システムにおいて、複数の受信装置は、例えば、第１光信号及び第２光信号を受光して、第１データ信号を出力する第１受信装置を有する。上記の光通信システムにおいて、複数の受信装置は、例えば、第１光信号及び第２光信号を受光して、第１データ信号を出力しない第２受信装置を有する。
【００１３】
上記の第４の態様又は第５の態様に係る光通信システムにおいて、第１受信装置は、第１の光のピーク波長を有する光の透過率が、第２の光のピーク波長を有する光の透過率よりも大きな選択部を有してよい。上記の光通信システムにおいて、第１受信装置は、選択部を通過した光を受光し、検出された光の強度を示す電気信号を出力する第１受光素子を有してよい。
【００１４】
本発明の第６の態様においては、プログラムが提供される。上記のプログラムは、例えば、コンピュータを、上記の制御装置として機能させるためのプログラムである。上記のプログラムを格納する非一時的コンピュータ可読媒体が提供されてもよい。
【００１５】
本発明の第７の態様においては、制御方法が提供される。上記の制御方法は、例えば、光信号を送信する送信装置を制御する方法である。上記の制御方法は、コンピュータが、光信号を送信する送信装置を制御する方法であってもよい。上記の制御方法は、例えば、（ａ）第１データ信号が入力され、（ｂ）（ｉ）第１データ信号がパルス信号に変換された第１通信信号及び（ｉｉ）第１通信信号が反転された第２通信信号を出力する変換段階を有する。上記の制御方法は、例えば、第１の波長分布を有する第１の光を出射する第１光源を制御して、第１光源に、第１通信信号により変調された第１光信号を出力させる第１制御段階を有する。上記の制御方法は、例えば、第２の波長分布を有する第２の光を出射する第２光源を制御して、第２光源に、第２通信信号により変調された第２光信号を出力させる第２制御段階を有する。上記の制御方法において、例えば、第１の波長分布と、第２の波長分布とは、互いに相違する。上記の制御方法において、例えば、第１制御段階及び第２制御段階の少なくとも一方は、第１の波長分布及び第２の波長分布の少なくとも一方に基づいて、変調度を決定する段階を含む。
【００１６】
本発明の第８の態様においては、光信号の送信方法が提供される。上記の制御方法は、コンピュータが、光信号を送信する方法であってもよい。上記の送信方法は、例えば、（ａ）第１データ信号が入力され、（ｂ）（ｉ）第１データ信号がパルス信号に変換された第１通信信号及び（ｉｉ）第１通信信号が反転された第２通信信号を出力する変換段階を有する。上記の送信方法は、例えば、第１の波長分布を有する第１の光を出射する第１光源を制御して、第１光源に、第１通信信号により変調された第１光信号を出力させる第１制御段階を有する。上記の送信方法は、例えば、第２の波長分布を有する第２の光を出射する第２光源を制御して、第２光源に、第２通信信号により変調された第２光信号を出力させる第２制御段階を有する。上記の送信方法において、例えば、第１の波長分布と、第２の波長分布とは、互いに相違する。上記の送信方法において、例えば、第１制御段階及び第２制御段階の少なくとも一方は、第１の波長分布及び第２の波長分布の少なくとも一方に基づいて、変調度を決定する段階を含む。
【００１７】
なお、上記の発明の概要は、本発明の必要な特徴の全てを列挙したものではない。また、これらの特徴群のサブコンビネーションもまた、発明となりうる。
【図面の簡単な説明】
【００１８】
【図１】通信システム１００のシステム構成の一例を概略的に示す。
【図２】送信部１２２の内部構成の一例を概略的に示す。
【図３】受信部１２４の内部構成の一例を概略的に示す。
【図４】制御部１２８の内部構成の一例を概略的に示す。
【図５】送信制御部４２２の内部構成の一例を概略的に示す。
【図６】受信制御部４２４の内部構成の一例を概略的に示す。
【図７】受信部１３４の内部構成の一例を概略的に示す。
【図８】受信部１４４の内部構成の一例を概略的に示す。
【図９】通信システム１００における通信方法の一例を概略的に示す。
【図１０】通信システム１００における通信方法の検証結果の一例を示す。
【図１１】送信制御部１１２２の内部構成の一例を概略的に示す。
【図１２】通信システム１００における通信方法の一例を概略的に示す。
【図１３】受信部１３２４の内部構成の一例を概略的に示す。
【図１４】照明装置１４２０の内部構成の一例を概略的に示す。
【図１５】送信部１４２２の内部構成の一例を概略的に示す。
【図１６】制御部１４２８の送信制御部１１２２の内部構成の一例を概略的に示す。
【図１７】通信システム１００における通信方法の一例を概略的に示す。
【図１８】通信システム１００における通信方法の一例を概略的に示す。
【発明を実施するための形態】
【００１９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００２０】
［通信システム１００の各部の概要］
図１は、通信システム１００のシステム構成の一例を概略的に示す。本実施形態においては、通信ネットワーク１０を介して、通信端末２０から、通信端末３２及び通信端末３４の少なくとも一方に、情報が送信される場合を例として、通信システム１００の詳細が説明される。しかしながら、通信システム１００の用途及び構成は、本実施形態に限定されない。
【００２１】
本実施形態において、通信システム１００は、ルータ１１０と、照明装置１２０と、送受信装置１３０と、送受信装置１４０とを備える。本実施形態において、照明装置１２０は、送信部１２２と、制御部１２８とを有する。照明装置１２０は、受信部１２４と、照明部１２６とを有してもよい。本実施形態において、送受信装置１３０は、送信部１３２と、受信部１３４とを有する。本実施形態において、送受信装置１４０は、送信部１４２と、受信部１４４とを有する。
【００２２】
通信システム１００は、光通信システムの一例であってよい。照明装置１２０は、送信装置及び受信装置の一例であってよい。送信部１２２は、送信装置の一例であってよい。受信部１２４は、受信装置の一例であってよい。制御部１２８は、制御装置の一例であってよい。送受信装置１３０は、送信装置及び受信装置の一例であってよい。送信部１３２は、送信装置の一例であってよい。受信部１３４は、受信装置及び第１受信装置の一例であってよい。制御部１３８は、制御装置の一例であってよい。送受信装置１４０は、送信装置及び受信装置の一例であってよい。送信部１４２は、送信装置の一例であってよい。受信部１４４は、受信装置及び第２受信装置の一例であってよい。制御部１４８は、制御装置の一例であってよい。
【００２３】
本実施形態において、通信ネットワーク１０は、有線通信の伝送路であってもよく、無線通信の伝送路であってもよく、無線通信の伝送路及び有線通信の伝送路の組み合わせであってもよい。通信ネットワーク１０は、無線パケット通信網、インターネット、Ｐ２Ｐネットワーク、専用回線、ＶＰＮ、電力線通信回線などを含んでもよい。通信ネットワーク１０は、（ｉ）携帯電話回線網などの移動体通信網を含んでもよく、（ｉｉ）無線ＭＡＮ（例えば、ＷｉＭＡＸ（登録商標）である。）、無線ＬＡＮ（例えば、ＷｉＦｉ（登録商標）である。）、Ｂｌｕｅｔｏｏｔｈ（登録商標）、Ｚｉｇｂｅｅ（登録商標）、ＮＦＣ（Ｎｅａｒ  Ｆｉｅｌｄ  Ｃｏｍｍｕｎｉｃａｔｉｏｎ）などの無線通信網を含んでもよい。
【００２４】
本実施形態において、通信端末２０、通信端末３２及び通信端末３４のそれぞれは、他の情報処理装置と情報を送受することができればよく、その詳細については特に限定されない。通信端末としては、パーソナルコンピュータ、携帯端末などが例示される。携帯端末としては、携帯電話、スマートフォン、ＰＤＡ、タブレット、ノートブック・コンピュータ又はラップトップ・コンピュータ、ウエアラブル・コンピュータなどが例示される。
【００２５】
本実施形態において、通信端末３２は、送受信装置１３０を介して、照明装置１２０との間で情報を送受する。一方、通信端末３４は、送受信装置１４０を介して、照明装置１２０との間で情報を送受する。
【００２６】
なお、各通信端末は、１又は複数の通信方式に対応してよい。通信方式としては、移動体通信方式、無線ＭＡＮ方式、無線ＬＡＮ方式、無線ＰＡＮ方式、光通信方式などが例示される。移動体通信方式としては、ＧＳＭ（登録商標）方式、３Ｇ方式、ＬＴＥ方式、４Ｇ方式、５Ｇ方式などが例示される。無線ＭＡＮ方式としては、ＷｉＭＡＸ（登録商標）が例示される。無線ＬＡＮ方式としては、ＷｉＦｉ（登録商標）が例示される。無線ＰＡＮ方式としては、Ｂｌｕｅｔｏｏｔｈ（登録商標）、Ｚｉｇｂｅｅ（登録商標）、ＮＦＣ（Ｎｅａｒ  Ｆｉｅｌｄ  Ｃｏｍｍｕｎｉｃａｔｉｏｎ）などが例示される。
【００２７】
本実施形態において、ルータ１１０は、通信ネットワーク１０及び照明装置１２０の間でデータを中継する。ルータ１１０は、照明装置１２０の通信を制御する通信制御部であってもよい。
【００２８】
本実施形態において、照明装置１２０は、通信ネットワーク１０及びルータ１１０を介して、通信端末２０との間で情報を送受する。照明装置１２０は、送受信装置１３０を介して、通信端末３２との間で情報を送受する。照明装置１２０は、送受信装置１４０を介して、通信端末３４との間で情報を送受する。
【００２９】
一実施形態において、照明装置１２０は、データ信号により変調された光（光信号と称される場合がある。）を出射する。これにより、照明装置１２０は、光を用いて自由空間に情報を伝達することができる。他の実施形態において、照明装置１２０は、照明光を出射する。
【００３０】
本実施形態において、送信部１２２は、光信号を送信する。例えば、送信部１２２は、通信端末２０から送信されたデータ信号により変調された光を出射する。送信部１２２は、制御部１２８から、光の点滅のタイミングを示す信号、及び、光の強度を示す信号を取得してよい。送信部１２２は、制御部１２８からの信号に基づいて、光を出射してよい。送信部１２２の詳細は後述される。
【００３１】
本実施形態において、受信部１２４は、送受信装置１３０及び送受信装置１４０の少なくとも一方から出射された光信号を受光する。受信部１２４の詳細は後述される。
【００３２】
本実施形態において、照明部１２６は、照明光を出射する。照明部１２６は、例えば、制御部１２８から、光の点滅のタイミングを示す信号、及び、光の強度を示す信号を取得する。照明部１２６は、制御部１２８からの信号に基づいて、光を出射してよい。
【００３３】
本実施形態において、制御部１２８は、照明装置１２０の動作及び情報処理を制御する。制御部１２８の詳細は後述される。
【００３４】
本実施形態において、送受信装置１３０は、照明装置１２０からの光信号を受光し、当該光信号をデータ信号に復号する。送受信装置１３０は、復号されたデータ信号を通信端末３２に出力する。本実施形態において、送受信装置１３０は、通信端末３２からのデータ信号を光信号に変換し、当該光信号を照明装置１２０に出力する。
【００３５】
本実施形態において、送信部１３２は、送信部１２２又はその変形例と同様の構成を有してよい。本実施形態において、受信部１３４は、照明装置１２０から出射された光信号を受光する。受信部１３４は、照明装置１２０が第１の通信方式で光信号を送信した場合であっても、照明装置１２０が第２の通信方式で光信号を送信した場合であっても、光信号を復号できるように構成されてよい。受信部１３４の詳細は後述される。なお、他の実施形態において、受信部１３４は、受信部１２４又はその変形例と同様の構成を有してよい。本実施形態において、制御部１３８は、制御部１２８又はその変形例と同様の構成を有してよい。
【００３６】
本実施形態において、送受信装置１４０は、照明装置１２０からの光信号を受光し、当該光信号をデータ信号に復号する。送受信装置１４０は、復号されたデータ信号を通信端末３４に出力する。本実施形態において、送受信装置１４０は、通信端末３４からのデータ信号を光信号に変換し、当該光信号を照明装置１２０に出力する。
【００３７】
本実施形態において、送信部１４２は、送信部１２２又はその変形例と同様の構成を有してよい。本実施形態において、受信部１４４は、照明装置１２０から出射された光信号を受光する。受信部１４４は、照明装置１２０が第１の通信方式で光信号を送信した場合には当該光信号を復号することができず、照明装置１２０が第２の通信方式で光信号を送信した場合には当該光信号を復号できるように構成されてよい。受信部１４４の詳細は後述される。なお、他の実施形態において、受信部１４４は、受信部１２４又はその変形例と同様の構成を有してよい。本実施形態において、制御部１４８は、制御部１２８又はその変形例と同様の構成を有してよい。
【００３８】
［通信システム１００の各部の具体的な構成］
通信システム１００の各部は、ハードウエアにより実現されてもよく、ソフトウエアにより実現されてもよく、ハードウエア及びソフトウエアにより実現されてもよい。通信システム１００の各部は、その少なくとも一部が、アナログ回路により実現されてもよく、デジタル回路により実現されてもよい。通信システム１００の各部は、その少なくとも一部が、単一のサーバによって実現されてもよく、複数のサーバによって実現されてもよい。通信システム１００の各部は、その少なくとも一部が、仮想マシン上又はクラウドシステム上で実現されてもよい。通信システム１００の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどが例示される。通信システム１００の各部は、ブロックチェーンなどの分散型台帳技術又は分散型ネットワークを利用して、情報を格納してもよい。
【００３９】
通信システム１００を構成する構成要素の少なくとも一部がソフトウエアにより実現される場合、当該ソフトウエアにより実現される構成要素は、一般的な構成の情報処理装置において、当該構成要素に関する動作を規定したプログラムを起動することにより実現されてよい。上記の情報処理装置は、例えば、（ｉ）ＣＰＵ、ＧＰＵなどのプロセッサ、ＲＯＭ、ＲＡＭ、通信インタフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備える。
【００４０】
上記の情報処理装置において、上記のデータ処理装置又は記憶装置は、プログラムを格納してよい。上記のプログラムは、非一時的なコンピュータ可読記録媒体に格納されてよい。上記のプログラムは、プロセッサによって実行されることにより、上記の情報処理装置に、当該プログラムによって規定された動作を実行させる。
【００４１】
プログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。プログラムは、コンピュータ読み取り可能な媒体又はネットワークに接続された記憶装置から、通信システム１００の少なくとも一部を構成するコンピュータにインストールされてよい。プログラムが実行されることにより、コンピュータが、通信システム１００の各部の少なくとも一部として機能してもよい。
【００４２】
コンピュータを通信システム１００の各部の少なくとも一部として機能させるプログラムは、通信システム１００の各部の動作を規定したモジュールを備えてよい。これらのプログラム又はモジュールは、データ処理装置、入力装置、出力装置、記憶装置等に働きかけて、コンピュータを通信システム１００の各部として機能させたり、コンピュータに通信システム１００の各部における情報処理方法を実行させたりする。
【００４３】
プログラムに記述された情報処理は、当該プログラムがコンピュータに読込まれることにより、当該プログラムに関連するソフトウエアと、通信システム１００の各種のハードウエア資源とが協働した具体的手段として機能する。そして、上記の具体的手段が、本実施形態におけるコンピュータの使用目的に応じた情報の演算又は加工を実現することにより、当該使用目的に応じた通信システム１００が構築される。
【００４４】
上記のプログラムは、コンピュータを、制御部１２８として機能させるためのプログラムであってよい。上記のプログラムは、コンピュータに、制御部１２８における情報処理方法を実行させるためのプログラムであってもよい。
【００４５】
一実施形態において、上記の情報処理方法は、光信号を送信する送信装置を制御する制御方法であってよい。上記の制御方法は、例えば、（ａ）第１データ信号が入力され、（ｂ）（ｉ）第１データ信号がパルス信号に変換された第１通信信号及び（ｉｉ）第１通信信号が反転された第２通信信号を出力する変換段階を有する。上記の制御方法は、例えば、第１の波長分布を有する第１の光を出射する第１光源を制御して、第１光源に、第１通信信号により変調された第１光信号を出力させる第１制御段階を有する。上記の制御方法は、例えば、第２の波長分布を有する第２の光を出射する第２光源を制御して、第２光源に、第２通信信号により変調された第２光信号を出力させる第２制御段階を有する。
【００４６】
上記の制御方法において、第１の波長分布と、第２の波長分布とが互いに相違してよい。上記の制御方法において、第１制御段階及び第２制御段階の少なくとも一方は、第１の波長分布及び第２の波長分布の少なくとも一方に基づいて、変調度を決定する段階を含んでよい。
【００４７】
他の実施形態において、上記の情報処理方法は、光信号の送信方法であってよい。上記の送信方法は、例えば、（ａ）第１データ信号が入力され、（ｂ）（ｉ）第１データ信号がパルス信号に変換された第１通信信号及び（ｉｉ）第１通信信号が反転された第２通信信号を出力する変換段階を有する。上記の送信方法は、例えば、第１の波長分布を有する第１の光を出射する第１光源を制御して、第１光源に、第１通信信号により変調された第１光信号を出力させる第１制御段階を有する。上記の送信方法は、例えば、第２の波長分布を有する第２の光を出射する第２光源を制御して、第２光源に、第２通信信号により変調された第２光信号を出力させる第２制御段階を有する。
【００４８】
上記の送信方法において、第１の波長分布と、第２の波長分布とが互いに相違してよい。上記の送信方法において、第１制御段階及び第２制御段階の少なくとも一方は、第１の波長分布及び第２の波長分布の少なくとも一方に基づいて、変調度を決定する段階を含んでよい。
【００４９】
図２は、送信部１２２の内部構成の一例を概略的に示す。本実施形態において、送信部１２２は、赤色ＬＥＤ２２０と、緑色ＬＥＤ２４０と、青色ＬＥＤ２６０とを備える。送信部１２２は、赤色駆動部２２２と、緑色駆動部２４２と、青色駆動部２６２とを備えてもよい。
【００５０】
赤色ＬＥＤ２２０は、第１光源の一例であってよい。緑色ＬＥＤ２４０は、第２光源の一例であってよい。青色ＬＥＤ２６０は、第３光源の一例であってよい。
【００５１】
本実施形態において、赤色ＬＥＤ２２０は、赤色光を出射する。赤色光は、第１の波長分布（スペクトル分布、分光分布などと称される場合もある。）を有する第１の光の一例であってよい。赤色ＬＥＤ２２０は、例えば、６１０〜７８０ｎｍの間にピーク波長を有する光を出射する。典型的には、赤色ＬＥＤ２２０は、６６０〜６７０ｎｍのピーク波長を有する光を出射する。
【００５２】
本実施形態において、緑色ＬＥＤ２４０は、緑色光を出射する。緑色光は、第２の波長分布を有する第２の光の一例であってよい。緑色ＬＥＤ２４０は、例えば、５００〜５７０ｎｍの間にピーク波長を有する光を出射する。典型的には、緑色ＬＥＤ２４０は、５２０〜５６０ｎｍのピーク波長を有する光を出射する。
【００５３】
本実施形態において、青色ＬＥＤ２６０は、青色光を出射する。青色光は、第３の波長分布を有する第３の光の一例であってよい。青色ＬＥＤ２６０は、例えば、４６０〜５００ｎｍの間にピーク波長を有する光を出射する。典型的には、青色ＬＥＤ２６０は、４６０〜４７０ｎｍのピーク波長を有する光を出射する。
【００５４】
本実施形態において、第１の波長分布と、第２の波長分布とが互いに相違してよい。また、第３の波長分布は、第１の波長分布及び第２の波長分布と相違してよい。一の波長分布のピーク波長と、他の波長分布のピーク波長とは、２０ｎｍ以上離れていることが好ましく、４０ｎｍ以上離れていることがより好ましく、６０ｎｍ以上離れていることがさらに好ましい。一の波長分布のピーク波長と、他の波長分布のピーク波長とが、６０ｎｍ以上離れていることにより、光信号同士の干渉の影響を回避することが容易になる。
【００５５】
本実施形態において、赤色駆動部２２２は、赤色ＬＥＤ２２０の駆動を制御する。赤色駆動部２２２は、例えば、制御部１２８から、光の点滅のタイミングを示す信号、及び、光の強度を示す信号を取得する。赤色駆動部２２２は、制御部１２８からの信号に基づいて、赤色ＬＥＤ２２０を駆動してよい。これにより、赤色光の光信号が出力される。
【００５６】
本実施形態において、緑色駆動部２４２は、緑色ＬＥＤ２４０の駆動を制御する。緑色駆動部２４２は、例えば、制御部１２８から、光の点滅のタイミングを示す信号、及び、光の強度を示す信号を取得する。緑色駆動部２４２は、制御部１２８からの信号に基づいて、緑色ＬＥＤ２４０を駆動してよい。これにより、緑色光の光信号が出力される。
【００５７】
本実施形態において、青色駆動部２６２は、青色ＬＥＤ２６０の駆動を制御する。青色駆動部２６２は、例えば、制御部１２８から、光の点滅のタイミングを示す信号、及び、光の強度を示す信号を取得する。青色駆動部２６２は、制御部１２８からの信号に基づいて、青色ＬＥＤ２６０を駆動してよい。これにより、青色光の光信号が出力される。
【００５８】
図３は、受信部１２４の内部構成の一例を概略的に示す。本実施形態においては、送信部１３２及び送信部１４２が、赤色光が変調された光信号を送信する場合を例として、受信部１２４の詳細が説明される。本実施形態において、受信部１２４は、受光素子３２０と、赤色光透過フィルタ３２２とを備える。
【００５９】
受光素子３２０は、第１受光素子の一例であってよい。赤色光透過フィルタ３２２は、選択部の一例であってよい。
【００６０】
本実施形態において、受光素子３２０は、受信部１２４に照射された光のうち、赤色光透過フィルタ３２２を通過した光を受光し、検出された光の強度を示す電気信号（受光信号と称される場合がある。）を出力する。本実施形態において、赤色光透過フィルタ３２２は、６１０〜７８０ｎｍ程度の波長を有する赤色光を透過し、それ以外の波長の光を遮蔽する光学フィルタである。これにより、受光素子３２０は、赤色ＬＥＤ２２０からの光信号を、選択的に検出することができる。
【００６１】
赤色光透過フィルタ３２２は、赤色光の透過率が、他の波長の光の透過率よりも大きいという特性を有してよい。一実施形態において、赤色光透過フィルタ３２２は、赤色ＬＥＤ２２０から出射された光の透過率が、緑色ＬＥＤ２４０から出射された光の透過率よりも大きいという特性を有してよい。他の実施形態において、赤色光透過フィルタ３２２は、赤色ＬＥＤ２２０から出射された光の透過率が、緑色ＬＥＤ２４０及び青色ＬＥＤ２６０から出射された光の透過率よりも大きいという特性を有してよい。
【００６２】
例えば、送受信装置１３０の送信部１３２が、照明装置１２０の送信部１２２と同様の構成を有し、送信部１３２が、赤色ＬＥＤからの光信号と、緑色ＬＥＤからの光信号とを出射する場合を考える。この場合、受光素子３２０が出力する受光信号の電圧は、赤色ＬＥＤからの光信号に起因する電圧と、緑色ＬＥＤからの光信号に起因する電圧とに基づいて定まる。
【００６３】
赤色光透過フィルタ３２２における赤色ＬＥＤからの光信号の透過率が、赤色光透過フィルタ３２２における緑色ＬＥＤから出射された光の透過率よりも大きい場合、受光素子３２０が出力する受光信号の電圧に対する、赤色ＬＥＤからの光信号に起因する電圧の影響が大きくなる。そのため、赤色光透過フィルタ３２２の光透過特性が適切に設定されることにより、受光素子３２０が出力する受光信号の電圧は、実質的に、赤色ＬＥＤからの光信号に起因する電圧と等しくなる。
【００６４】
同様に、送受信装置１３０の送信部１３２が、照明装置１２０の送信部１２２と同様の構成を有し、送信部１３２が、赤色ＬＥＤからの光信号と、緑色ＬＥＤからの光信号と、青色ＬＥＤからの光信号とを出射する場合を考える。この場合においても、赤色光透過フィルタ３２２における赤色ＬＥＤからの光信号の透過率が、赤色光透過フィルタ３２２における緑色ＬＥＤ及び青色ＬＥＤのそれぞれから出射された光の透過率よりも大きい場合、受光素子３２０が出力する受光信号の電圧に対する、赤色ＬＥＤからの光信号に起因する電圧の影響が大きくなる。そのため、赤色光透過フィルタ３２２の光透過特性が適切に設定されることにより、受光素子３２０が出力する受光信号の電圧は、実質的に、赤色ＬＥＤからの光信号に起因する電圧と等しくなる。
【００６５】
赤色光透過フィルタ３２２は、赤色ＬＥＤ２２０から出射された光の透過率が、緑色ＬＥＤ２４０から出射された光の透過率の１０倍以上であることが好ましく、１００倍以上であることがより好ましく、１０００倍以上であることがさらに好ましく、１００００倍以上であることがさらに好ましい。赤色ＬＥＤ２２０から出射された光の透過率が、青色ＬＥＤ２６０から出射された光の透過率の１０倍以上であることが好ましく、１００倍以上であることがより好ましく、１０００倍以上であることがさらに好ましく、１００００倍以上であることがさらに好ましい。
【００６６】
本実施形態においては、送信部１３２及び送信部１４２が、赤色光が変調された光信号を送信する場合を例として、受信部１２４の詳細が説明された。しかしながら、受信部１２４は本実施形態に限定されない。他の実施形態において、受信部１２４は、受信部１２４に照射された光のうち赤色光を受光し、当該赤色光の強度を示す受光信号を出力する受光素子３２０と、受信部１２４に照射された光を受光し、当該光の強度を示す受光信号を出力する他の受光素子とを備えてよい。他の受光素子は、第２受光素子の一例であってよい。
【００６７】
図４は、制御部１２８の内部構成の一例を概略的に示す。本実施形態において、制御部１２８は、送信制御部４２２と、受信制御部４２４と、照明制御部４２６とを備える。送信制御部４２２は、制御装置の一例であってよい。
【００６８】
本実施形態において、送信制御部４２２は、送信部１２２を制御する。送信制御部４２２の詳細は後述される。本実施形態において、受信制御部４２４は、受信部１２４を制御する。受信制御部４２４の詳細は後述される。
【００６９】
本実施形態において、照明制御部４２６は、照明部１２６を制御する。照明制御部４２６は、照明部１２６の点灯及び消灯、照明部１２６の点滅のタイミング、照明部１２６が出射する光の波長分布及び強度の少なくとも一方などを制御してよい。照明制御部４２６は、送信部１２２が光信号を送信するタイミングに同期させて、照明部１２６が出射する光の強度を変動させてよい。これにより、例えば、照明光のちらつきが低減される。
【００７０】
図５は、送信制御部４２２の内部構成の一例を概略的に示す。本実施形態においては、本実施形態の理解を容易にすることを目的として、送信制御部４２２が、青色駆動部２６２が消灯を継続するように、青色駆動部２６２を制御する場合を例として、送信制御部４２２の詳細が説明される。
【００７１】
本実施形態において、送信制御部４２２は、データ処理部５２０と、変調信号出力部５４２と、変調信号出力部５４４とを備える。本実施形態において、データ処理部５２０は、データ信号入力部５２２と、非反転信号出力部５２４と、反転信号出力部５２６と、同期信号出力部５２８とを有する。
【００７２】
データ処理部５２０は、第１変換部の一例であってよい。変調信号出力部５４２は、第１制御部の一例であってよい。変調信号出力部５４４は、第２制御部の一例であってよい。
【００７３】
本実施形態において、データ処理部５２０は、ルータ１１０から、光信号に変換すべきデータ信号を取得する。データ処理部５２０は、取得されたデータ信号に基づいて、送信部１２２から出射される光を変調して光信号を出力するための変調信号を生成する。データ処理部５２０は、生成された変調信号を送信部１２２に出力する。これにより、送信部１２２から光信号が出力される。
【００７４】
本実施形態において、データ信号入力部５２２には、光信号に変換すべきデータ信号が入力される。上記のデータ信号は、第１データ信号の一例であってよい。データ信号入力部５２２は、例えば、入力されたデータ信号を、非反転信号出力部５２４及び反転信号出力部５２６に出力する。
【００７５】
本実施形態において、非反転信号出力部５２４は、データ信号入力部５２２からデータ信号を取得する。非反転信号出力部５２４は、例えば、取得されたデータ信号をパルス信号に変換する。非反転信号出力部５２４は、生成されたパルス信号（非反転信号と称される場合がある。）を、変調信号出力部５４２に出力する。上記の非反転信号は、第１通信信号の一例であってよい。
【００７６】
本実施形態において、反転信号出力部５２６は、データ信号入力部５２２からデータ信号を取得する。非反転信号出力部５２４は、例えば、取得されたデータ信号を、当該データ信号が反転されたパルス信号に変換する。反転信号出力部５２６は、生成されたパルス信号（反転信号と称される場合がある。）を、変調信号出力部５４４に出力する。上記の反転信号は、第２通信信号の一例であってよい。
【００７７】
本実施形態において、同期信号出力部５２８は、非反転信号出力部５２４が非反転信号を出力するタイミングと、反転信号出力部５２６が反転信号を出力するタイミングとを同期させるために用いられる同期信号を生成する。同期信号出力部５２８は、生成された同期信号を、非反転信号出力部５２４と、反転信号出力部５２６とに出力する。
【００７８】
本実施形態において、変調信号出力部５４２は、非反転信号出力部５２４から非反転信号を取得する。変調信号出力部５４２は、取得された非反転信号を、赤色ＬＥＤ２２０から出射される光の強度を示す変調信号に変換する。変調信号出力部５４２は、赤色ＬＥＤ２２０が出射する光の特性に応じて定められる変調度に基づいて、非反転信号を変調信号に変換してよい。
【００７９】
ここで、変調度とは、ＬＥＤの駆動電流を変調する割合を示す。上記の駆動電流の電流波形において相対的に高い振幅をＡとし、上記の駆動電流の電流波形において相対的に低い振幅をＢとすると、変調度Ｍは、Ｍ＝｛（Ａ−Ｂ）｝／Ａとして定義される。
【００８０】
変調信号出力部５４２は、生成された変調信号を、赤色駆動部２２２に出力してよい。これにより、送信制御部４２２は、赤色ＬＥＤ２２０を制御して、赤色ＬＥＤ２２０に、非反転信号により変調された光信号を出力させることができる。上記の光信号は、第１光信号の一例であってよい。
【００８１】
変調信号出力部５４２は、第１の波長分布及び第２の波長分布の少なくとも一方に基づいて、上記の変調度を決定してよい。変調信号出力部５４２は、上記の光信号を受信する送受信装置１３０における、赤色ＬＥＤ２２０が出射した光の受信電圧、及び、緑色ＬＥＤ２４０が出射した光の受信電圧の少なくとも一方に基づいて、上記の変調度を決定してもよい。
【００８２】
例えば、変調信号出力部５４２は、赤色ＬＥＤ２２０が出射した光の受信電圧を最大化して、赤色ＬＥＤ２２０が出射する光の変調度を決定する。変調信号出力部５４２は、送受信装置１４０において、赤色ＬＥＤ２２０が出射した光の受信電圧の絶対値の最大値と、緑色ＬＥＤ２４０が出射した光の受信電圧の絶対値の最大値とが略同一となるように、赤色ＬＥＤ２２０が出射する光の変調度を決定してもよい。例えば、赤色ＬＥＤ２２０が出射した光の受信電圧の絶対値の最大値と、緑色ＬＥＤ２４０が出射した光の受信電圧の絶対値の最大値との差の絶対値が、送受信装置１４０における光信号の復調処理において受光信号を２値化するときの閾値よりも小さい場合、赤色ＬＥＤ２２０が出射した光の受信電圧の絶対値の最大値と、緑色ＬＥＤ２４０が出射した光の受信電圧の絶対値の最大値とが略同一であると判定される。
【００８３】
本実施形態において、変調信号出力部５４４は、反転信号出力部５２６から反転信号を取得する。変調信号出力部５４４は、取得された反転信号を、緑色ＬＥＤ２４０から出射される光の強度を示す変調信号に変換する。変調信号出力部５４４は、緑色ＬＥＤ２４０が出射する光の特性に応じて定められる変調度に基づいて、反転信号を変調信号に変換してよい。
【００８４】
変調信号出力部５４４は、生成された変調信号を、緑色駆動部２４２に出力してよい。これにより、送信制御部４２２は、緑色ＬＥＤ２４０を制御して、緑色ＬＥＤ２４０に、反転信号により変調された光信号を出力させることができる。上記の光信号は、第２光信号の一例であってよい。
【００８５】
変調信号出力部５４４は、第１の波長分布及び第２の波長分布の少なくとも一方に基づいて、上記の変調度を決定してよい。変調信号出力部５４４は、上記の光信号を受信する送受信装置１３０における、赤色ＬＥＤ２２０が出射した光の受信電圧、及び、緑色ＬＥＤ２４０が出射した光の受信電圧の少なくとも一方に基づいて、上記の変調度を決定してもよい。
【００８６】
例えば、変調信号出力部５４４は、緑色ＬＥＤ２４０が出射した光の受信電圧を最大化して、緑色ＬＥＤ２４０が出射する光の変調度を決定する。変調信号出力部５４４は、送受信装置１４０において、赤色ＬＥＤ２２０が出射した光の受信電圧の絶対値の最大値と、緑色ＬＥＤ２４０が出射した光の受信電圧の絶対値の最大値とが略同一となるように、緑色ＬＥＤ２４０が出射する光の変調度を決定してもよい。
【００８７】
本実施形態においては、変調信号の電圧変動がそのまま光源の強度変動となる直接変調方式により、各ＬＥＤからの光が変調される場合を例として、送信部１２２及び送信制御部４２２の詳細が説明された。しかしながら、送信部１２２及び送信制御部４２２は本実施形態に限定されない。他の実施形態において、各ＬＥＤからの光の変調方式として、光源からの出力光に対して外部から変調を加える外部変調方式が採用される。
【００８８】
また、本実施形態においては、赤色ＬＥＤ２２０が非反転信号により変調された光信号を出力し、緑色ＬＥＤ２４０が反転信号により変調された光信号を出力する場合を例として、照明装置１２０及び送信制御部４２２の詳細が例示された。しかしながら、照明装置１２０及び送信制御部４２２は、本実施形態に限定されない。
【００８９】
他の実施形態において、赤色ＬＥＤ２２０が反転信号により変調された光信号を出力し、緑色ＬＥＤ２４０が非反転信号により変調された光信号を出力してもよい。赤色ＬＥＤ２２０が非反転信号により変調された光信号を出力し、青色ＬＥＤ２６０が反転信号により変調された光信号を出力してもよい。赤色ＬＥＤ２２０が反転信号により変調された光信号を出力し、青色ＬＥＤ２６０が非反転信号により変調された光信号を出力してもよい。緑色ＬＥＤ２４０が非反転信号により変調された光信号を出力し、青色ＬＥＤ２６０が反転信号により変調された光信号を出力してもよい。緑色ＬＥＤ２４０が反転信号により変調された光信号を出力し、青色ＬＥＤ２６０が非反転信号により変調された光信号を出力してもよい。送信制御部４２２は、各ＬＥＤが上記のとおり動作するように、各ＬＥＤに変調信号を出力してよい。
【００９０】
図６は、受信制御部４２４の内部構成の一例を概略的に示す。本実施形態において、受信制御部４２４は、受光信号入力部６２２と、データ信号出力部６４２とを備える。
【００９１】
本実施形態において、受光信号入力部６２２は、受信部１２４から受光信号を取得する。受光信号入力部６２２は、取得された受光信号を、データ信号出力部６４２に出力する。赤色ＬＥＤ２２０が非反転信号により変調された光信号を出力し、緑色ＬＥＤ２４０が反転信号により変調された光信号を出力する場合において、受光素子が、受信部１２４に到達した光のうち赤色光透過フィルタを通過した光を選択的に受光するように構成されているとき、受光信号は、非反転信号の波形に応じた波形を有する。一方、受光素子が、受信部１２４に到達した光を非選択的に受光するように構成されているとき、赤色ＬＥＤ２２０からの光信号の強度及び緑色ＬＥＤ２４０からの光信号の強度の合計が略一定となる。そのため、ノイズの影響を無視できるとすると、受光信号の波形は略直線状になる。
【００９２】
本実施形態において、データ信号出力部６４２は、受光信号入力部６２２から受光信号を取得する。データ信号出力部６４２は、受光信号をデータ信号に復号する。例えば、データ信号出力部６４２は、受光信号を２値化することで、受光信号をデータ信号に変換する。データ信号出力部６４２は、受光素子が受信部１２４に到達した光を非選択的に受光するように構成されているときには、データ信号が出力されないように、受光信号を２値化するときの閾値を調整してよい。
【００９３】
図７は、受信部１３４の内部構成の一例を概略的に示す。本実施形態において、受信部１３４は、受光素子７２０と、赤色光透過フィルタ７２２とを備える。受信部１３４は、受信部１２４と同様の構成を有してよい。受光素子７２０は、受光素子３２０と同様の構成を有してよい。赤色光透過フィルタ７２２は、赤色光透過フィルタ３２２と同様の構成を有してよい。
【００９４】
受光素子７２０は、第１受光素子の一例であってよい。赤色光透過フィルタ７２２は、選択部の一例であってよい。
【００９５】
図８は、受信部１４４の内部構成の一例を概略的に示す。本実施形態において、受信部１４４は、受光素子８２０を備える。受光素子８２０は、受光素子３２０と同様の構成を有してよい。受信部１４４は、赤色光透過フィルタを備えない点で、受信部１２４及び受信部１３４と相違する。上記の相違点以外の点につき、受信部１４４は、受信部１２４及び受信部１３４と同様の構成を有してよい。受光素子８２０は、上記の第２受光素子の一例であってよい。
【００９６】
図９は、通信システム１００における通信方法の一例を概略的に示す。図７及び図８に関連して説明されたとおり、受信部１３４の受光素子７２０は、受信部１３４に到達した光のうち赤色光透過フィルタ７２２を通過した光を選択的に受光する。そのため、受信部１３４に、赤色ＬＥＤ２２０からの光信号及び緑色ＬＥＤ２４０からの光信号が同時に照射されると、受信部１３４は、非反転信号に応じた波形を有する受光信号を出力する。
【００９７】
一方、受信部１４４の受光素子８２０は、受信部１４４に到達した光を非選択的に受光する。そのため、受信部１３４に、赤色ＬＥＤ２２０からの光信号及び緑色ＬＥＤ２４０からの光信号が同時に照射されると、受信部１３４は、受光信号を出力しない。
【００９８】
したがって、例えば、送受信装置１４０が、送信部１２２の近隣に存在する、送信部１２２とは異なる送信装置からの光信号を受信している場合であっても、送信部１２２は、送受信装置１４０の通信に影響を与えることなく、送受信装置１３０に光信号を伝達することができる。
【００９９】
また、通信システム１００の通信方式によれば、受信装置が、送信装置が出射する光の特性に応じた適切なフィルタを備えない場合、当該受信装置は、当該送信装置からの光信号を復号することができない。これにより、秘匿通信が達成され得る。
【０１００】
なお、本実施形態においては、２値のデータ信号（ＮＲＺ信号と称される場合がある。）が伝送される場合を例として、通信システム１００の詳細が説明された。しかしながら、通信システム１００は本実施形態に限定されない。通信システム１００は、ベースバンド信号で光の強度を変調する他の変調方式にも適用され得る。他の変調方式としては、振幅変調方式、周波数変調方式、位相変調方式、多値振幅変調方式、多値周波数変調方式、多値位相変調方式、ＯＦＤＭ方式、ＣＤＭ方式などが例示される。
【０１０１】
図１０は、通信システム１００における通信方法の検証結果の一例を示す。図１に関連して説明された照明装置１２０及び送受信装置１３０と同様の装置を用いて、通信システム１００における通信方法が検証された。
【０１０２】
具体的には、赤色ＬＥＤ（型番ＯＳＴＣＸＢＣＢＣ１Ｅ、ＯｐｔｏＳｕｐｐｌｙ社製）を伝送速度１０Ｍｂｉｔ／ｓの第１のパルス信号で変調し、緑色ＬＥＤ（型番ＯＳＴＣＸＢＣＢＣ１Ｅ、ＯｐｔｏＳｕｐｐｌｙ社製）を上記のパルス信号を反転させた第２のパルス信号で変調した。赤色ＬＥＤからの光信号の変調度は、赤色ＬＥＤに印加する電圧を変化させることで、受信電圧が最大となるように決定された。赤色光の変調電圧値は、０．６Ｖｐ−ｐであった。緑色ＬＥＤからの光信号の変調度は、緑色ＬＥＤに印加する電圧を変化させることで、受信電圧が最大となるように決定された。緑色光の変調電圧値は、４．０Ｖｐ−ｐであった。また、受信回路が交流結合となるように設計し，受信電圧は、平均値が０となるように設定された。
【０１０３】
図１０に、受光素子７２０の出力波形を示す。図１０において、横軸は時間を示し、縦軸は受信電圧を示す。波形１０２０は、受光素子７２０の受光面上に、緑色光を透過させ、赤色光の透過を阻害する光学フィルタが配された場合の出力波形を示す。波形１０４０は、受光素子７２０の受光面上に、赤色光を透過させ、緑色光の透過を阻害する光学フィルタが配された場合の出力波形を示す。波形１０６０は、受光素子７２０の受光面上に光学フィルタが配されておらず、受光素子７２０が受信部１３４に到達した光を非選択的に受光する場合の出力波形を示す。
【０１０４】
図１０に示されるとおり、波形１０２０は、第２のパルス信号の波形に応じた形状を有し、波形１０４０は、第１のパルス信号の波形に応じた形状を有する。一方、波形１０６０はノイズ成分による電圧変動は見られるものの、第１のパルス信号及び第２のパルス信号に起因する電圧変動はほとんど見られない。図１０によれば、本実施形態に係る光通信方式又は光通信システムが採用されることにより、近隣に存在する送受信装置に与える影響の少ない光通信が実現され得ることがわかる。また、図１０によれば、本実施形態に係る光通信方式又は光通信システムが採用されることにより、秘匿通信が実現され得ることがわかる。
【０１０５】
図１１は、送信制御部１１２２の内部構成の一例を概略的に示す。図１〜図１０においては、照明装置１２０が、単一のデータ信号を２つのＬＥＤを利用して送信する場合を例として、通信システム１００の詳細が説明された。図１１においては、送信制御部４２２の代わりに送信制御部１１２２が利用され、２つのデータ信号が３つのＬＥＤを利用して送信される場合を例として、通信システム１００の詳細が説明される。
【０１０６】
本実施形態において、送信制御部１１２２は、データ処理部５２０が、データ信号入力部１１３２と、非反転信号出力部１１３４をさらに備える点で、送信制御部４２２と相違する。また、送信制御部１１２２は、変調信号出力部１１４６をさらに備える点で、送信制御部４２２と相違する。上記の相違点以外の点につき、送信制御部１１２２は、送信制御部４２２と同様の構成を有してよい。
【０１０７】
非反転信号出力部１１３４は、第２変換部の一例であってよい。変調信号出力部１１４６は、第３制御部の一例であってよい。
【０１０８】
本実施形態において、データ信号入力部１１３２には、光信号に変換すべきデータ信号が入力される。上記のデータ信号は、第２データ信号の一例であってよい。データ信号入力部１１３２は、例えば、入力されたデータ信号を、非反転信号出力部１１３４に出力する。
【０１０９】
本実施形態において、非反転信号出力部１１３４は、データ信号入力部１１３２からデータ信号を取得する。非反転信号出力部１１３４は、例えば、取得されたデータ信号をパルス信号に変換する。非反転信号出力部１１３４は、生成されたパルス信号（非反転信号と称される場合がある。）を、変調信号出力部１１４６に出力する。上記の非反転信号は、第３通信信号の一例であってよい。
【０１１０】
本実施形態において、変調信号出力部１１４６は、非反転信号出力部１１３４から非反転信号を取得する。変調信号出力部１１４６は、取得された非反転信号を、青色ＬＥＤ２６０から出射される光の強度を示す変調信号に変換する。変調信号出力部１１４６は、青色ＬＥＤ２６０が出射する光の特性に応じて定められる変調度に基づいて、非反転信号を変調信号に変換してよい。
【０１１１】
変調信号出力部１１４６は、生成された変調信号を、青色駆動部２６２に出力してよい。これにより、送信制御部１１２２は、青色ＬＥＤ２６０を制御して、青色ＬＥＤ２６０に、非反転信号により変調された光信号を出力させることができる。上記の光信号は、第３光信号の一例であってよい。
【０１１２】
本実施形態においては、赤色ＬＥＤ２２０、緑色ＬＥＤ２４０及び青色ＬＥＤ２６０が同一の筐体の内部に配される場合を例として、通信システム１００の詳細が説明された。しかしながら、通信システム１００は本実施形態に限定されない。他の実施形態において、赤色ＬＥＤ２２０及び緑色ＬＥＤ２４０と、青色ＬＥＤ２６０とが、物理的に離れた位置に設置された異なる筐体の内部に配されてよい。青色駆動部２６２、データ信号入力部１１３２、非反転信号出力部１１３４及び変調信号出力部１１４６の少なくとも１つが、青色ＬＥＤ２６０が配された筐体の内部に配されてよい。
【０１１３】
図１２は、送信制御部１１２２を備えた通信システム１００における通信方法の一例を概略的に示す。図１１に関連して説明されたとおり、送信部１２２は、（ｉ）データ信号入力部５２２に入力されたデータ信号１２２０により変調された赤色光の光信号と、（ｉｉ）データ信号入力部５２２に入力されたデータ信号１２２０の反転信号により変調された緑色光の光信号と、（ｉｉｉ）データ信号入力部１１３２に入力されたデータ信号１２４０により変調された青色光の光信号とを出射する。
【０１１４】
図７に関連して説明されたとおり、受信部１３４の受光素子７２０は、受信部１３４に到達した光のうち赤色光透過フィルタ７２２を通過した光を受光する。そのため、受光素子７２０により、赤色光の光信号は検出されるものの、緑色光及び青色光の光信号は検出されない。その結果、受信部１３４は、データ信号１２２０に対応する信号を出力する。
【０１１５】
一方、図８に関連して説明されたとおり、受信部１４４の受光素子８２０は、受信部１４４に到達した光を非選択的に受光する。上述のとおり、赤色光の光信号による出力波形と、緑色光の光信号による出力波形とは、互いに打ち消しあう。その結果、受信部１３４は、データ信号１２４０に対応する信号を出力する。
【０１１６】
以上のとおり、本実施形態によれば、近接する２つの光送信装置からの光信号の干渉が抑制される。また、秘匿通信が達成され得る。
【０１１７】
図１３は、受信部１３２４の内部構成の一例を概略的に示す。上述のとおり、送受信装置１３０の送信部１３２、受信部１３４及び制御部１３８のそれぞれは、照明装置１２０の送信部１２２、受信部１２４及び制御部１２８のそれぞれと同様の構成を有し得る。また、送受信装置１４０の送信部１４２、受信部１４４及び制御部１４８のそれぞれは、照明装置１２０の送信部１２２、受信部１２４及び制御部１２８のそれぞれと同様の構成を有し得る。
【０１１８】
送受信装置１３０及び送受信装置１４０の少なくとも一方が、送信制御部４２２の代わりに送信制御部１１２２を備える場合、照明装置１２０は、受信部１２４の代わりに受信部１３２４を備えてもよい。また、送受信装置１３０が、受信部１３４の代わりに受信部１３２４を備えてもよく、送受信装置１４０が、受信部１４４の代わりに受信部１３２４を備えてもよい。
【０１１９】
本実施形態において、受信部１３２４は、受光素子３２０と、赤色光透過フィルタ３２２に加えて、青色光の光信号を受光する受光素子１３６０を備える。なお、受信部１３２４は、受光素子１３６０の受光面又は光軸上に、青色光透過フィルタ１３６２を備えてもよい。
【０１２０】
図１４は、照明装置１４２０の内部構成の一例を概略的に示す。本実施形態において、照明装置１４２０は、送信部１４２２をさらに備える点で、照明装置１２０と相違する。また、照明装置１４２０は、制御部１２８の代わりに制御部１４２８を備える点で、照明装置１２０と相違する。上記の相違点以外につき、照明装置１４２０は、照明装置１２０と同様の構成を有してよい。
【０１２１】
照明装置１４２０は、送信装置及び受信装置の一例であってよい。送信部１４２２は、送信装置の一例であってよい。制御部１４２８は、制御装置の一例であってよい。
【０１２２】
本実施形態において、送信部１４２２は、白色光を出射する白色ＬＥＤであってよい。送信部１４２２の詳細は後述される。制御部１４２８は、送信部１４２２を制御する機能を有する点で、制御部１２８と相違する。制御部１４２８は、送信制御部１１２２を備えてよい。制御部１４２８の詳細は後述される。
【０１２３】
図１５は、照明装置１４２０の内部構成の一例を概略的に示す。本実施形態において、照明装置１４２０は、白色ＬＥＤ１５２０と、白色駆動部１５２２と、赤色光カットフィルタ１５２４とを備える。
【０１２４】
白色ＬＥＤ１５２０は、第３光源の一例であってよい。赤色光カットフィルタ１５２４は、遮蔽部の一例であってよい。
【０１２５】
本実施形態において、白色ＬＥＤ１５２０は、白色光を出射する。白色光は、第３の波長分布を有する第３の光の一例であってよい。白色光の出射は、様々な手法により実現される。一実施形態において、白色光は、青色ＬＥＤと、黄色発光蛍光体とを用いて実現される。他の実施形態において、白色光は、近紫外ＬＥＤ又は紫色ＬＥＤと、赤色発光蛍光体、緑色発光蛍光体及び青色発光蛍光体とを用いて実現される。他の実施形態において、白色光は、赤色ＬＥＤと、緑色ＬＥＤと、青色ＬＥＤとを用いて実現される。さらに他の実施形態において、白色光は、青緑色ＬＥＤと、赤色ＬＥＤとを用いて実現される。
【０１２６】
本実施形態において、白色駆動部１５２２は、白色ＬＥＤ１５２０の駆動を制御する。白色駆動部１５２２は、例えば、制御部１４２８から、光の点滅のタイミングを示す信号、及び、光の強度を示す信号を取得する。白色駆動部１５２２は、制御部１４２８からの信号に基づいて、白色駆動部１５２２を駆動してよい。これにより、白色光の光信号が出力される。
【０１２７】
本実施形態において、赤色光カットフィルタ１５２４は、白色ＬＥＤ１５２０の光路上に配される。赤色光カットフィルタ１５２４は、白色ＬＥＤ１５２０が出射した白色光に含まれる光の少なくとも一部を遮蔽する。例えば、赤色光カットフィルタ１５２４は、白色ＬＥＤ１５２０が出射した白色光に含まれる赤色成分の少なくとも一部をカットする。赤色成分は、白色ＬＥＤ１５２０が出射した光のうち、赤色ＬＥＤ２２０が出射する光のピーク波長を有する光であってよい。赤色成分は、赤色ＬＥＤ２２０が出射する光のピーク波長を中心としたスペクトル半値幅（例えば、半値全幅である。）に相当する範囲の波長を有する光であってもよい。これにより、白色ＬＥＤ１５２０が出射した白色光と、送信部１２２の赤色ＬＥＤ２２０が出射した赤色光との干渉が抑制される。
【０１２８】
赤色光カットフィルタ１５２４は、白色光に含まれる赤色成分の９９％以上をカットすることが好ましく、９９．９％以上をカットすることがより好ましく、９９．９９％以上をカットすることがさらに好ましい。赤色光カットフィルタ１５２４は、赤色ＬＥＤ２２０の点滅のタイミングに同期して、赤色成分の遮蔽の有無を制御してもよい。
【０１２９】
図１６は、制御部１４２８に配される送信制御部１１２２の内部構成の一例を概略的に示す。図１６に示されるとおり、制御部１４２８の送信制御部１１２２は、変調信号出力部１１４６が、非反転信号出力部１１３４が出力した非反転信号を、白色ＬＥＤ１５２０から出射される光の強度を示す変調信号に変換する点で、図１１に関連して説明された、制御部１２８の送信制御部１１２２と相違する。上記の相違点以外の点につき、制御部１４２８の送信制御部１１２２は、図１１に関連して説明された、制御部１２８の送信制御部１１２２と同様の構成を有してよい。
【０１３０】
図１７及び図１８を用いて、照明装置１４２０を備えた通信システム１００における通信方法の一例を概略的に示す。図１７に示されるとおり、送信部１２２は、データ信号１７２０により変調された赤色光の光信号と、データ信号１７２０の反転信号により変調された緑色光を出射する。上述のとおり、受信部１３４は赤色光透過フィルタ７２２を備えているので、受信部１３４は、データ信号１７２０に対応する信号を出力する。
【０１３１】
一方、送信制御部１１２２は、データ信号１７４０により変調された白色光を出射する。上述のとおり、送信制御部１１２２が出射した白色光に含まれる赤色成分は、赤色光カットフィルタ１５２４によりカットされている。そして、白色光の赤色成分以外の光は、受信部１３４の赤色光透過フィルタ７２２を通過することができない。そのため、受信部１３４は、データ信号１７４０に対応する信号を出力しない。
【０１３２】
また、図１８に示されるとおり、送信部１２２は、データ信号１７２０により変調された赤色光の光信号と、データ信号１７２０の反転信号により変調された緑色光を出射する。上述のとおり、受信部１４４は赤色光透過フィルタ７２２を備えていない。そのため、受信部１４４は、データ信号１７２０に対応する信号を出力しない。
【０１３３】
一方、送信制御部１１２２は、データ信号１７４０により変調された白色光を出射する。上述のとおり、送信制御部１１２２が出射した白色光に含まれる赤色成分は、赤色光カットフィルタ１５２４によりカットされている。しかしながら、受信部１４４は、白色光の赤色成分以外の光を検出することができる。そのため、受信部１４４は、データ信号１７４０に対応する信号を出力する。
【０１３４】
以上のとおり、本実施形態によれば、近接する２つの光送信装置からの光信号の干渉が抑制される。また、秘匿通信が達成され得る。
【０１３５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【０１３６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【０１３７】
例えば、本願明細書には、下記の事項が開示されている。
［項目１］
光信号を送信する送信装置を制御する制御装置であって、
（ａ）第１データ信号が入力され、（ｂ）（ｉ）上記第１データ信号がパルス信号に変換された第１通信信号及び（ｉｉ）上記第１通信信号が反転された第２通信信号を出力する第１変換部と、
第１の波長分布を有する第１の光を出射する第１光源を制御して、上記第１光源に、上記第１通信信号により変調された第１光信号を出力させる第１制御部と、
第２の波長分布を有する第２の光を出射する第２光源を制御して、上記第２光源に、上記第２通信信号により変調された第２光信号を出力させる第２制御部と、
を備え、
上記第１の波長分布と、上記第２の波長分布とが互いに相違し、
上記第１制御部及び上記第２制御部の少なくとも一方は、上記第１の波長分布及び上記第２の波長分布の少なくとも一方に基づいて、変調度を決定する、
制御装置。
［項目２］
上記第１制御部及び上記第２制御部の少なくとも一方は、上記光信号を受信する受信装置における、上記第１の光の受信電圧及び上記第２の光の受信電圧の少なくとも一方に基づいて、上記変調度を決定する、
項目１に記載の制御装置。
［項目３］
第２データ信号が入力され、上記第２データ信号がパルス信号に変換された第３通信信号を出力する第２変換部と、
第３の波長分布を有する第３の光を出射する第３光源を制御して、上記第３光源に、上記第３通信信号により変調された第３光信号を出力させる第３制御部と、
をさらに備え、
上記第３の波長分布は、上記第１の波長分布及び上記第２の波長分布と相違する、
項目１又は項目２に記載の制御装置。
［項目４］
光信号を送信する送信装置であって、
項目１又は項目２に記載の制御装置と、
上記第１の光を出射する上記第１光源と、
上記第２の光を出射する上記第２光源と、
を備える、送信装置。
［項目５］
光信号を送信する送信装置であって、
項目３に記載の制御装置と、
上記第１の光を出射する上記第１光源と、
上記第２の光を出射する上記第２光源と、
上記第３の光を出射する上記第３光源と、
を備える、送信装置。
［項目６］
上記第３光源の光路上に配され、上記第１の光のピーク波長を有する光の少なくとも一部を遮蔽する遮蔽部をさらに備える、
項目５に記載の送信装置。
［項目７］
項目４から項目６までの何れか一項に記載の送信装置と、
上記送信装置が送信した上記光信号を受光する受信装置と、
を備える、光通信システム。
［項目８］
上記受信装置は、
上記第１光信号及び上記第２光信号を受光して、上記第１データ信号を出力する第１受信装置と、
上記第１光信号及び上記第２光信号を受光して、上記第１データ信号を出力しない第２受信装置と、
を備える、
項目７に記載の光通信システム。
［項目９］
光信号を送信する送信装置と、
上記光信号を受光する複数の受信装置と、
を備え、
上記送信装置は、
第１の波長分布を有する第１の光を出射する第１光源と、
第２の波長分布を有する第２の光を出射する第２光源と、
上記第１光源及び上記第２光源を制御する制御装置と、
を有し、
上記第１の波長分布と、上記第２の波長分布とが互いに相違し、
制御装置は、
（ａ）第１データ信号が入力され、（ｂ）（ｉ）上記第１データ信号がパルス信号に変換された第１通信信号及び（ｉｉ）上記第１通信信号が反転された第２通信信号を出力する第１変換部と、
上記第１光源を制御して、上記第１光源に、上記第１通信信号により変調された第１光信号を出力させる第１制御部と、
上記第２光源を制御して、上記第２光源に、上記第２通信信号により変調された第２光信号を出力させる第２制御部と、
を含み、
上記複数の受信装置は、
上記第１光信号及び上記第２光信号を受光して、上記第１データ信号を出力する第１受信装置と、
上記第１光信号及び上記第２光信号を受光して、上記第１データ信号を出力しない第２受信装置と、
を有する、
光通信システム。
［項目１０］
上記第１受信装置は、
上記第１の光のピーク波長を有する光の透過率が、上記第２の光のピーク波長を有する光の透過率よりも大きな選択部と、
上記選択部を通過した光を受光し、検出された光の強度を示す電気信号を出力する第１受光素子と、
を有する、
項目８又は項目９に記載の光通信システム。
［項目１１］
コンピュータを、項目１から項目３までの何れか一項記載の制御装置として機能させるための、プログラム。
［項目１２］
光信号を送信する送信装置を制御する制御方法であって、
（ａ）第１データ信号が入力され、（ｂ）（ｉ）上記第１データ信号がパルス信号に変換された第１通信信号及び（ｉｉ）上記第１通信信号が反転された第２通信信号を出力する変換段階と、
第１の波長分布を有する第１の光を出射する第１光源を制御して、上記第１光源に、上記第１通信信号により変調された第１光信号を出力させる第１制御段階と、
第２の波長分布を有する第２の光を出射する第２光源を制御して、上記第２光源に、上記第２通信信号により変調された第２光信号を出力させる第２制御段階と、
を有し、
上記第１の波長分布と、上記第２の波長分布とが互いに相違し、
上記第１制御段階及び上記第２制御段階の少なくとも一方は、上記第１の波長分布及び上記第２の波長分布の少なくとも一方に基づいて、変調度を決定する段階を含む、
制御方法。
［項目１３］
光信号の送信方法であって、
（ａ）第１データ信号が入力され、（ｂ）（ｉ）上記第１データ信号がパルス信号に変換された第１通信信号及び（ｉｉ）上記第１通信信号が反転された第２通信信号を出力する変換段階と、
第１の波長分布を有する第１の光を出射する第１光源を制御して、上記第１光源に、上記第１通信信号により変調された第１光信号を出力させる第１制御段階と、
第２の波長分布を有する第２の光を出射する第２光源を制御して、上記第２光源に、上記第２通信信号により変調された第２光信号を出力させる第２制御段階と、
を有し、
上記第１の波長分布と、上記第２の波長分布とが互いに相違し、
上記第１制御段階及び上記第２制御段階の少なくとも一方は、上記第１の波長分布及び上記第２の波長分布の少なくとも一方に基づいて、変調度を決定する段階を含む、
送信方法。
【符号の説明】
【０１３８】
１０  通信ネットワーク、２０  通信端末、３２  通信端末、３４  通信端末、１００  通信システム、１１０  ルータ、１２０  照明装置、１２２  送信部、１２４  受信部、１２６  照明部、１２８  制御部、１３０  送受信装置、１３２  送信部、１３４  受信部、１３８  制御部、１４０  送受信装置、１４２  送信部、１４４  受信部、１４８  制御部、２２０  赤色ＬＥＤ、２２２  赤色駆動部、２４０  緑色ＬＥＤ、２４２  緑色駆動部、２６０  青色ＬＥＤ、２６２  青色駆動部、３２０  受光素子、３２２  赤色光透過フィルタ、４２２  送信制御部、４２４  受信制御部、４２６  照明制御部、５２０  データ処理部、５２２  データ信号入力部、５２４  非反転信号出力部、５２６  反転信号出力部、５２８  同期信号出力部、５４２  変調信号出力部、５４４  変調信号出力部、６２２  受光信号入力部、６４２  データ信号出力部、７２０  受光素子、７２２  赤色光透過フィルタ、８２０  受光素子、１０２０  波形、１０４０  波形、１０６０  波形、１１２２  送信制御部、１１３２  データ信号入力部、１１３４  非反転信号出力部、１１４６  変調信号出力部、１２２０  データ信号、１２４０  データ信号、１３２４  受信部、１３６０  受光素子、１３６２  青色光透過フィルタ、１４２０  照明装置、１４２２  送信部、１４２８  制御部、１５２０  白色ＬＥＤ、１５２２  白色駆動部、１５２４  赤色光カットフィルタ、１７２０  データ信号、１７４０  データ信号
【図１】
2020027951.tif 000003
【図２】
2020027951.tif 000004
【図３】
2020027951.tif 000005
【図４】
2020027951.tif 000006
【図５】
2020027951.tif 000007
【図６】
2020027951.tif 000008
【図７】
2020027951.tif 000009
【図８】
2020027951.tif 000010
【図９】
2020027951.tif 000011
【図１０】
2020027951.tif 000012
【図１１】
2020027951.tif 000013
【図１２】
2020027951.tif 000014
【図１３】
2020027951.tif 000015
【図１４】
2020027951.tif 000016
【図１５】
2020027951.tif 000017
【図１６】
2020027951.tif 000018
【図１７】
2020027951.tif 000019
【図１８】
2020027951.tif 000020